(57)【要約】【課題】不透明度が５５％以下にある透明メモ用紙を提供する。【解決手段】透明なプラスチックフィルムの少なくとも一面に、全体の不透明度が５５％以下になるように、ポリアクリル酸エステル、ポリビニルアルコール、ポリアクリル酸ビニル及び合成ゴムからなる群より選ばれた粘着剤１重量部と、白色顔料を主成分とした顔料組成物１〜１０重量部と、からなる透明な塗布剤を塗布して前記一面を粗面化させ、書き込み面を形成してなることを特徴とする透明メモ用紙を提供する。【選択図】　図１
2004122728.tif 000002
【特許請求の範囲】
【請求項１】
透明なプラスチックフィルムの少なくとも一面に、全体の不透明度が５５％以下になるように、
ポリアクリル酸エステル、ポリビニルアルコール、ポリアクリル酸ビニル及び合成ゴムからなる群より選ばれた粘着剤１重量部と、
白色顔料を主成分とした顔料組成物１〜１０重量部と、
からなる透明な塗布剤を塗布して前記一面を粗面化させ、書き込み面を形成してなることを特徴とする透明メモ用紙。
【請求項２】
前記顔料は、二酸化チタン、炭酸カルシウム、粘土からなる群より選ばれたものであることを特徴とする、請求項１記載の透明メモ用紙。
【請求項３】
前記不透明度が４０％以下であることを特徴とする、請求項１記載の透明メモ用紙。
【請求項４】
前記不透明度が３０％以下であることを特徴とする、請求項１記載の透明メモ用紙。
【請求項５】
前記プラスチックフィルムは、ポリプロピレン、ポリエチレン、ポリ塩化ビニル、ポリエチレン　テレフタレート、マイラーからなる群より選ばれたものにより形成してなることを特徴とする、請求項１記載の透明メモ用紙。
【請求項６】
前記透明なプラスチックフィルムの一面に書き込み面を形成し、他面に剥離可能な接着剤を塗布してなることを特徴とする、請求項１記載の透明メモ用紙。
【請求項７】
前記透明なプラスチックフィルムの一面に書き込み面を形成し、他面に離型紙を貼り付けてあることを特徴とする、請求項１記載の透明メモ用紙。
【請求項８】
前記顔料の総量に、２％〜１０％の有色顔料が添加されていることを特徴とする、請求項１または２記載の透明メモ用紙。
【発明の詳細な説明】
【０００１】
【発明の属する技術分野】
本発明は、透明メモ用紙に関し、特に、透明度が従来の透明メモ用紙より高い透明メモ用紙に関する。
【０００２】
【従来の技術】
近年、紙製のメモ用紙の代わりに、プラスチック製の透明なメモ用紙が広く使用されるようになっている。前記プラスチック製の透明メモ用紙は、引張り強度が強くて破れにくいだけでなく、防水も、見栄えも良く、その下面の文字や図形などが透けて見えるいわゆる透視性を有するなどの利点を有する。また、プラスチックフィルム自身は、ボールペン、鉛筆、油性ペンなどのインキを吸収することができなく、即ち筆記可能の機能を備えていないので、印刷や書き込み可能のために、その表面を粗面化する必要がある。前記プラスチックフィルムを粗面化する方法としては、プラスチックフィルムの表面にポリウレタンを主成分とした粘着剤と白色顔料を主成分とした顔料とからなるインキ組成物を塗布する方法（例えば、特許文献１参照）、プラスチックフィルムの表面を酸化処理または凹凸化処理する方法（例えば、特許文献２参照）、及びプラスチックフィルムの表面にシリカなどの無機粉末が混合されているインキ組成物を塗布したり、コロナ放電などの電気的処理をする方法（例えば、特許文献３参照）などが知られている。
【０００３】
【特許文献１】
特開平０１−１５６３３６号公報
【特許文献２】
実開平０３−０９８０７１号公報
【特許文献３】
実開平０１−１０４３６９号公報
【０００４】
これらの方法は、いずれもプラスチックフィルムの表面を筆記可能にするが、粗面化の程度が高くなるに伴って透視性が悪くなるので、市販されているものは、通常、不透明度が５５％以上ある。即ち、プラスチックフィルムのボールペンなどに対するインキ吸収性は、粗面化の程度が高くなるほど良くなるが、透視性はかえって悪くなる。また、見栄えや使用上の利便性を図るために、前記インキ組成物に赤、青、黄色などの有色顔料を添加したり、反対面に剥離可能な接着剤を塗布したりする場合もあり、そうすると、透視性がそれに従って一層劣化する。
【０００５】
【発明の課題】
上記問題に鑑み、本発明の第１の目的は、不透明度が５５％以下にある透明メモ用紙を提供することである。
【０００６】
本発明の第２の目的は、適量な有色顔料を添加し、または、剥離可能な接着剤を塗布しても、不透明度も５５％以下にある透明メモ用紙を提供することである。
【０００７】
【課題を解決するための手段】
上記目的を達成するために、発明者は、鋭意研究したところ、前記粘着剤の成分を変え、且つ前記粘着剤と前記顔料の重量比を１：１〜１：１０の範囲内に規定することにより、透明メモ用紙の不透明度を５５％以下に抑えることができることを見出した。
【０００８】
前記発見に基づき、発明者は、まず、透明なプラスチックフィルムの少なくとも一面に、全体の不透明度が５５％以下になるように、ポリアクリル酸エステル（ｐｏｌｙａｃｒｙｌａｔｅ）、ポリビニルアルコール（ｐｏｌｙｖｉｎｙｌ　ａｌｃｏｈｏｌ；ＰＶＡ）、ポリアクリル酸ビニル（ｐｏｌｙｖｉｎｙｌ　ａｃｒｙｌａｔｅ；ＰＡ）及び合成ゴム（ｓｔｙｒｅｎｅ　ｂｕｔａｄｉｅｎｅ　ｒｕｂｂｅｒ；ＳＢＲ）からなる群より選ばれた粘着剤１重量部と、白色顔料を主成分とした顔料組成物１〜１０重量部と、からなる透明な塗布剤を塗布して前記一面を粗面化させ、書き込み面を形成してなることを特徴とする透明メモ用紙を提供する。この構成による透明メモ用紙は、ポリアクリル酸エステル、ポリビニルアルコール、ポリアクリル酸ビニル及び合成ゴムからなる群より選ばれたものを粘着剤とし、且つ前記粘着剤と前記顔料の重量比を１：１〜１：１０の範囲内に規定し、不透明度を５５％以下に抑えることができるので、透視性がかなり良いのみならず、インキに対する吸収性も非常に良い。
【０００９】
そして、前記措置に合わせ、前記顔料としては、二酸化チタン（ＴｉＯ２）、炭酸カルシウム（ＣａＣＯ３）、粘土（クレー）からなる群より選ばれたものを使用することが好ましい。二酸化チタン、炭酸カルシウムまたは粘土を使用すると、前記不透明度は、５５％以下ばかりでなく、４０％以下、乃至３０％以下に抑えることもできる。また、前記プラスチックフィルムとしては、ポリプロピレン（ｐｏｌｙｐｒｏｐｙｌｅｎｅ；ＰＰ）、ポリエチレン（ｐｏｌｙｅｔｈｙｌｅｎｅ；ＰＥ）、ポリ塩化ビニル（ｐｏｌｙｖｉｎｙｌ　ｃｈｌｏｒｉｄｅ；ＰＶＣ）、ポリエチレン・テレフタレート（ｐｏｌｙｅｔｈｙｌｅｎｅ　ｔｅｒｅｐｈｔｈａｌａｔｅ；ＰＥＴ）、マイラー（ｍｙｌａｒ）からなる群より選ばれたものにより形成してなるものが好ましい。
【００１０】
なお、使用上の利便性を図るために、前記透明メモ用紙は、前記透明なプラスチックフィルムの一面に書き込み面を形成し、他面に剥離可能な接着剤を塗布したり、離型紙を貼り付けたりすることが好ましい。それにより、前記透明メモ用紙を任意な箇所に繰返して貼り付けたり、前記透明メモ用紙を複数枚積層して冊子様に形成したりすることができる。また、透視性にあまり差し支えのない範囲内に、前記顔料の総量に、２％〜１０％の有色顔料を添加することで、前記透明メモ用紙を着色して変化性を増加させることもできる。
【００１１】
【発明の実施の形態】
以下、本発明の透明メモ用紙の好ましい実施形態を詳しく説明する。なお、以下の説明においては、そのサイズに拘わらず、略同一の機能及び構成を有する構成要素については、同一符号を付し、重複説明は必要な場合にのみ行う。
【００１２】
本発明の透明メモ用紙１の好ましい実施形態は、図１に示されているように、透明なプラスッチクフィルム１１の一面に透明な塗布剤を塗布して前記一面を粗面化させ、書き込み面１１２を形成し、他面に剥離可能な接着剤１１１を塗布してなる。それにより、図２に示されているように、前記透明メモ用紙１を複数枚積層して冊子２に形成することができる。
【００１３】
もっと詳しく説明すると、前記透明なプラスッチクフィルム１１は、ポリプロピレン（ｐｏｌｙｐｒｏｐｙｌｅｎｅ；ＰＰ）、ポリエチレン（ｐｏｌｙｅｔｈｙｌｅｎｅ；ＰＥ）、ポリ塩化ビニル（ｐｏｌｙｖｉｎｙｌ　ｃｈｌｏｒｉｄｅ；ＰＶＣ）、ポリエチレン・テレフタレート（ｐｏｌｙｅｔｈｙｌｅｎｅ　ｔｅｒｅｐｈｔｈａｌａｔｅ；ＰＥＴ）、マイラー（ｍｙｌａｒ）からなる群より選ばれたプラスッチク材を使用して成形してなる。前記剥離可能な接着剤１１１としては、アクリル酸エステル型（ａｃｒｙｌａｔｅ　ｔｙｐｅ）接着剤を使用することができる。
【００１４】
前記透明な塗布剤は、粘着剤１重量部と、顔料組成物１〜１０重量部とからなる。前記粘着剤は、ポリアクリル酸エステル（ｐｏｌｙａｃｒｙｌａｔｅ）、ポリビニルアルコール（ｐｏｌｙｖｉｎｙｌ　ａｌｃｏｈｏｌ；ＰＶＡ）、ポリアクリル酸ビニル（ｐｏｌｙｖｉｎｙｌ　ａｃｒｙｌａｔｅ；ＰＡ）及び合成ゴム（ｓｔｙｒｅｎｅ　ｂｕｔａｄｉｅｎｅ　ｒｕｂｂｅｒ；ＳＢＲ）からなる群より選ばれた。前記顔料組成物は、白色顔料を主成分とし、例えば二酸化チタン（ＴｉＯ２）、炭酸カルシウム（ＣａＣＯ３）、粘土（クレー）からなる群より選ばれた。
【００１５】
以下、実験例で本発明の透明メモ用紙を具体的に説明するが、本発明はこれらの実験例によって何ら限定されるものではない。
（実験例１）
ポリプロピレン（ＰＰ）フィルムを前記プラスッチクフィルムとし、１００ｇの二酸化チタン（ＴｉＯ２）、炭酸カルシウム（ＣａＣＯ３）または粘土（クレー）を前記顔料とし、ポリビニルアルコール（ＰＶＡ）、ポリアクリル酸ビニル（ＰＡ）または合成ゴム（ＳＢＲ）を前記粘着剤とし、且つ、前記粘着剤の用量を変えてサンプル１〜４８を製作してから、それぞれの書き込み性，粘着性及びインキ吸収性を評価して表１〜表３を作製した。即ち、表１のサンプル１〜１９はポリビニルアルコール（ＰＶＡ）を、表２のサンプル２０〜３４はポリアクリル酸ビニル（ＰＡ）を、表３のサンプル３５〜４８は合成ゴム（ＳＢＲ）を前記粘着剤としたものである。
【００１６】
そして、前記表１〜表３のいずれにも、各サンプルに対し、優（ｅ；ｅｘｃｅｌｌｅｎｔ）、良（ｇ；ｇｏｏｄ）または可（ｆ；ｆａｉｒ）でそれぞれの書き込み性、顔料のプラスッチクフィルムへの粘着性及びボールペンのインキに対する吸収性を評価して記録した。
【００１７】
【表１】
2004122728.tif 000003
【００１８】
【表２】
2004122728.tif 000004
【００１９】
【表３】
2004122728.tif 000005
【００２０】
表１〜表３から、前記粘着剤と前記顔料との重量比が１：１〜１：１０の範囲内にあるとき、作成した透明メモ用紙は、好ましい、書き込み性、粘着性及びインキ吸収性を有することが分かる。
【００２１】
（実験例２）
ポリプロピレン（ＰＰ）フィルムをプラスチックフィルムとし、１００ｇの二酸化チタン（ＴｉＯ２）、炭酸カルシウム（ＣａＣＯ３）または粘土（クレー）を前記顔料とし、ポリビニルアルコール（ＰＶＡ）、ポリアクリル酸ビニル（ＰＡ）または合成ゴム（ＳＢＲ）を前記粘着剤とし、且つ、前記粘着剤の用量及び塗布剤の塗布量を変えてサンプル４９〜８２を製作してから、それぞれの不透明度及び明晰さを評価して表４〜表６を作製した。即ち、表４のサンプル４９〜６３はポリビニルアルコール（ＰＶＡ）を、表５のサンプル６４〜７２はポリアクリル酸ビニル（ＰＡ）を、表６のサンプル７３〜８２は合成ゴム（ＳＢＲ）を前記粘着剤としたものである。
【００２２】
そして、前記明晰さの評価は、各サンプルを書類の文字や図形上に貼り付けてから、コピー機（またはファクス装置）を通過させてコピーを製作した後、各コピーをメモ用紙が貼り付けられていない書類のコピーと比較して優（ｅ；ｅｘｃｅｌｌｅｎｔ）、良（ｇ；ｇｏｏｄ）、可（ｆ；ｆａｉｒ）または悪（ｐ；ｐｏｏｒ）で行った。
【００２３】
【表４】
2004122728.tif 000006
【００２４】
【表５】
2004122728.tif 000007
【００２５】
【表６】
2004122728.tif 000008
【００２６】
表４〜表６から、塗布材の塗布量が高くなるほど、不透明度が高くなり、且つ３種の顔料中において粘土（Ｃｌａｙ）の透明性が一番良く、また、明晰さについては、不透明度が５５％以下で、より好ましくは、４０％以下で、もっと好ましくは、３０％以下で良いと分かる。また、実験した結果、前記粘着剤としての合成ゴム（ＳＢＲ）ポリビニルアルコール（ＰＶＡ）またはポリアクリル酸ビニル（ＰＡ）と共に、粘土（クレー）、二酸化チタン（ＴｉＯ２）または炭酸カルシウム（ＣａＣＯ３）などの顔料を使用すると、不透明度を５５％以下ばかりでなく、４０％以下、乃至３０％以下に抑えることもできる。また、前記顔料内に２％〜１０％の有色顔料を少々添加して着色しても、前記不透明度を容易に維持することができる。
【００２７】
【発明の効果】
本発明の透明メモ用紙は、透視性がかなり良いだけでなく、書き込み性及びインキの吸収性も非常に良い。
【００２８】
以上説明した実施の形態は、あくまでも本発明の技術的内容を明らかにするためのものである。本発明はそうした具体例に限定して狭義に解釈されるものではなく、本発明の精神と特許請求の範囲に述べられた範囲で、様々に変形して実施することが可能である。
【図面の簡単な説明】
【図１】本発明の透明メモ用紙の好ましい実施形態の断面図である。
【図２】前記実施形態を複数枚積層した冊子の斜視図である。
【符号の説明】
１　透明メモ用紙
２　冊子
１１　プラスッチクフィルム
１１１　剥離可能な接着剤
１１２　書き込み面
【図１】
2004122728.tif 000009
【図２】
2004122728.tif 000010